(57)【特許請求の範囲】
【請求項１】
挿入されたＩＣカードに記録されているカード情報を読み取る読み取り手段と、
前記ＩＣカードの前記カード情報に含まれる、有効期限を取得する有効期限取得手段と、
前記ＩＣカードの前記カード情報に含まれる、再発行されたカードか否かを示す再発行情報を取得する再発行情報取得手段と、
前記再発行情報が再発行されたカードであることを示す情報か否かを判定し、再発行されたカードであることを示す情報であるときには、振込情報の移行を行う画面を表示するか否かを決める移行キー表示情報を有効に設定し、再発行されたカードでないことを示す情報のときには、前記移行キー表示情報を無効に設定する第１の設定手段と、
前記カード情報に含まれる、振込情報が移行済みか否かを示す移行済情報を取得する移行済情報取得手段と、
前記移行済情報が移行済であることを示す情報か否かを判定し、移行済であることを示す情報のときには、前記移行キー表示情報を無効に設定する第２の設定手段と、
ＩＣカードから前記読み取り手段により読み取ったカード情報のうち、有効期限取得手段が取得した有効期限が切れていると判定した場合には、旧カードとして前記ＩＣカードに登録されている振込情報を取得する振込情報取得手段と、
前記移行キー表示情報が有効か無効かを判定し、前記移行キー表示情報が有効のときのみ、前記旧のＩＣカードの振込情報を移行するための画面を表示させる表示手段と、
前記旧のＩＣカードの振込情報を表示した状態で任意の振込情報が選択されて振込情報の移行が指示されたとき、選択された前記振込情報を再発行された前記ＩＣカードに書き込むと共に、前記ＩＣカードの前記移行済情報を移行済みに書き換える書き込み手段を備える自動取引装置。
【請求項２】
前記表示手段は、前記移行キー表示情報が有効なとき、前記旧のＩＣカードに登録されている前記振込情報と、再発行された前記ＩＣカードに登録されている振込情報を１つ以上の振込先登録画面に表示し、前記旧のＩＣカードの前記振込情報を移行データとして選択可能に表示する請求項１記載の自動取引装置。
【請求項３】
前記表示手段は、前記移行キー表示情報が有効なとき、振込情報の移行を指示するための選択キーを表示する選択画面を表示させ、前記選択画面において、前記移行選択キーが選択されたとき、旧のＩＣカードに記録されている振込情報を選択可能に表示する振込先登録選択画面を表示させる請求項１記載の自動取引装置。
【請求項４】
前記カード情報と前記振込情報とは、前記ＩＣカードの処理装置が有する記憶部に記録され、
前記移行キー表示情報が有効なときにおいて、更に、挿入された旧のＩＣカードの磁気ストライプが破壊されていたとき、または、旧のＩＣカードに記録されている有効期限が切れていたときに、前記旧のＩＣカードの振込情報を、再発行された前記ＩＣカードに移行する請求項１記載の自動取引装置。
【請求項５】
前記第１の設定手段は、前記再発行情報が、前記ＩＣカードが再発行されたＩＣカードであることを示す情報のとき、前記移行キー表示情報を有効に設定し、
前記第２の設定手段は、前記移行済情報が移行済であることを示す情報のとき、前記移行キー表示情報を無効に設定する請求項３記載の自動取引装置。
【請求項６】
ＩＣカードに登録されている振込情報を他のＩＣに移行する振込情報移行方法であって、
挿入されたＩＣカードに記録されているカード情報を読み取るステップと、
前記ＩＣカードの前記カード情報に含まれる、再発行されたカードか否かを示す再発行情報を取得するステップと、
前記再発行情報が再発行されたカードであることを示す情報か否かを判定し、再発行されたカードであることを示す情報であるときには、振込情報の移行を行う画面を表示するか否かを決める移行キー表示情報を有効に設定し、再発行されたカードでないことを示す情報のときには、前記移行キー表示情報を無効に設定する第１の設定ステップと、
前記カード情報に含まれる、振込情報が移行済みか否かを示す移行済情報を取得するステップと、
前記移行済情報が移行済であることを示す情報か否かを判定し、移行済であることを示す情報のときには、前記移行キー表示情報を無効に設定する第２の設定ステップと、
旧のＩＣカードに登録されている振込情報を取得するステップと、
前記移行キー表示情報が有効か無効かを判定し、前記移行キー表示情報が有効のときのみ、前記旧のＩＣカードの振込情報を移行するための画面を表示させるステップと、
前記旧のＩＣカードの振込情報を表示した状態で任意の振込情報が選択されて振込情報の移行が指示されたとき、選択された前記振込情報を再発行された前記ＩＣカードに書き込むと共に、前記ＩＣカードの前記移行済情報を移行済みに書き換えるステップを、コンピュータが実行するＩＣカードの振込情報移行方法。
【請求項７】
前記表示ステップは、前記旧のＩＣカードに登録されている振込情報と、再発行されたＩＣカードに登録されている振込情報を１つ以上の振込先登録画面に表示し、前記旧のＩＣカードの前記振込情報を移行データとして選択可能に表示する請求項６記載のＩＣカードの振込情報移行方法。
【請求項８】
前記カード情報と前記振込情報とは、前記ＩＣカードの処理装置が有する記憶部に記録され、
前記移行キー表示情報が有効なときにおいて、更に、挿入された旧のＩＣカードの磁気ストライプが破壊されていたとき、または、旧のＩＣカードに記録されている有効期限が切れていたときに、前記旧のＩＣカードの振込情報を、再発行された前記ＩＣカードに移行する請求項６記載のＩＣカードの振込情報移行方法。
【請求項９】
前記第１の設定ステップは、前記再発行情報が、前記ＩＣカードが再発行されたＩＣカードであることを示す情報のとき、前記移行キー表示情報を有効に設定し、
前記第２の設定ステップは、前記移行済情報が移行済であることを示す情報のとき、前記移行キー表示情報を無効に設定する請求項６記載のＩＣカードの振込情報移行方法。
【発明の詳細な説明】
【技術分野】
【０００１】
本発明は、金融機関で使用される自動取引装置及びＩＣカードの振込情報移行方法に関する。
【背景技術】
【０００２】
ＩＣカードは、磁気カードに比べてカード情報の不正な読み取りに対するセキュリティを高めることができることから利用が拡大している。銀行等で発行されるＩＣカードには、振込先等のデータを登録できる機能を有しているものもある。
【０００３】
銀行等で発行されるクレジットカード一体型のＩＣカードは有効期限が設定されている。このようなカードは、有効期限が切れる前に新しいカードが発行元（銀行、信販会社等）から郵送されてくる。利用者は一時的に旧カードと新カードの2枚を保有することになる。現状では、ＩＣカードに登録されたデータを再発行されたＩＣカードに自動的に引き継ぐ仕組みが存在しないため、顧客は旧のＩＣカードに登録したデータを手作業で別のＩＣカードに登録し直す必要がある。
【０００４】
特許文献１には、ＩＣカードを再発行する際に、旧のＩＣカードの情報を不揮発性メモリにストアし、旧のＩＣカードの情報をクリアした後、新のＩＣカードにその情報をコピーすることでＩＣカードの二重発行を防止し、かつ停電等による情報の消失を防止することが記載されている。
【０００５】
特許文献１の発明は、１口タイプのＩＣカードリーダ／ライタにおいて、ＩＣカードのデータを複写する際に停電等によりデータが失われるのを防止するためのものであり、自動取引装置おけるＩＣカードの振込情報の移行を目的とするものではない。
【０００６】
特許文献２には、顧客が、自動取引装置の表示部に表示される「ＩＣカード取引選択画面」において「ＩＣカード取引」の取引ボタンを操作すると、ＩＣカード取引選択画面に切り替わり、その画面において「ＩＣカード情報引き継ぎ」ボタンを操作すると、ＩＣカード挿入誘導画面が表示される。そして、顧客が、引き継ぎ元のＩＣカードを挿入すると、引き継ぎ元のＩＣカードに記録されている振込先情報を読み取り、その情報を引き継ぎ先のＩＣカードに書き込むことが記載されている。
【０００７】
特許文献２の発明において、ＩＣカードに記録した振込先情報を他のＩＣカードに引き継ぐためには、顧客自身の判断で画面選択を行って、それぞれの画面で選択ボタンを操作する必要があり、振込情報を他のＩＣカードに引き継ぐための操作が煩雑であった。
【０００８】
ところで、自動取引装置を利用して振込を行ったときに、紙製の振込券を顧客に発行し、その振込券に振込先の口座情報を記録しておいて、次の振込操作のときにその振込券を利用して振込先口座情報の入力操作を不要にするサービスが提供されている。この紙製の振込券の替わりにＩＣカードの振込先の登録機能を利用することが望まれているが、現状では、ＩＣカードに登録した情報を簡単な操作で別のＩＣカードに移行させることができないために、紙製の振込券を無くすことが難しかった。
【特許文献１】特開平６−２３１３１２号公報
【特許文献２】特開２００７−７９９２６号公報
【発明の開示】
【発明が解決しようとする課題】
【０００９】
本発明の課題は、旧のＩＣカードの振込情報を別のＩＣカードに簡単な操作で移行させることができるようにすることである。
【課題を解決するための手段】
【００１０】
本発明の自動取引装置は、挿入されたＩＣカードに記録されているカード情報を読み取る読み取り手段と、前記ＩＣカードの前記カード情報に含まれる、有効期限を取得する有効期限取得手段と、前記ＩＣカードの前記カード情報に含まれる、再発行されたカードか否かを示す再発行情報を取得する再発行情報取得手段と、前記再発行情報が再発行されたカードであることを示す情報か否かを判定し、再発行されたカードであることを示す情報であるときには、振込情報の移行を行う画面を表示するか否かを決める移行キー表示情報を有効に設定し、再発行されたカードでないことを示す情報のときには、前記移行キー表示情報を無効に設定する第１の設定手段と、前記カード情報に含まれる、振込情報が移行済みか否かを示す移行済情報を取得する移行済情報取得手段と、前記移行済情報が移行済であることを示す情報か否かを判定し、移行済であることを示す情報のときには、前記移行キー表示情報を無効に設定する第２の設定手段と、ＩＣカードから前記読み取り手段により読み取ったカード情報のうち、有効期限取得手段が取得した有効期限が切れていると判定した場合には、旧カードとしてＩＣカードに登録されている振込情報を取得する振込情報取得手段と、前記移行キー表示情報が有効か無効かを判定し、前記移行キー表示情報が有効のときのみ、前記旧のＩＣカードの振込情報を移行するための画面を表示させる表示手段と、前記旧のＩＣカードの振込情報を表示した状態で任意の振込情報が選択されて振込情報の移行が指示されたとき、選択された前記振込情報を再発行された前記ＩＣカードに書き込むと共に、前記ＩＣカードの前記移行済情報を移行済みに書き換える書き込み手段を備える。
【００１１】
この発明によれば、ＩＣカードの有効期限が切れる前に送られてくる再発行されたＩＣカードと、有効期限の切れた旧のＩＣカードの２枚を使用して、旧のＩＣカードに登録されている振込情報を、簡単な操作で再発行されたＩＣカードに引き継ぐことができる。
【００１２】
上記の発明の自動取引装置において、前記表示手段は、旧のＩＣカードに登録されている前記振込情報と、再発行されたＩＣカードに登録されている振込情報を１つ以上の振込先登録画面に表示し、前記旧のＩＣカードの振込情報を移行データとして選択可能に表示する。
【００１３】
このように構成することで、再発行されたＩＣカードに登録された振込先情報と旧のＩＣカードに登録された振込情報の両方を確認しながら必要な振込情報を再発行されたＩＣカードに移行させることができる。
【００１４】
上記の発明の自動取引装置において、前記表示手段は、前記移行キー表示情報が有効なとき、振込情報の移行を指示する移行選択キーを表示する選択画面を表示させ、前記選択画面において、前記移行選択キーが選択されたとき、旧のＩＣカードに記録されている振込情報を選択可能に表示する振込先登録選択画面を表示させる。
【００１５】
このように構成することで、移行キー表示情報が有効で、振込情報を移行する可能性があるときのみ、振込情報を移行するための画面が表示されるので、顧客にとって不要な選択画面が表示されるのを防止できる。
【００１６】
上記の発明の自動取引装置において、前記第１の設定手段は、前記再発行情報が、前記ＩＣカードが再発行されたＩＣカードであることを示す情報のとき、前記移行キー表示情報をオンに設定し、前記第２の設定手段は、前記移行済情報が移行済であることを示す情報のとき、前記移行キー表示情報をオフに設定する。
【００１７】
このように構成することで、ＩＣカードが再発行されたカードで、かつ振込情報の移行が行われていないときのみ、ＩＣ振込情報移行キー表示フラグをオンにすることができる。これにより、振込情報の移行を必要とする顧客に対してのみ移行選択画面、あるいは振込情報を選択する画面を表示させることができる。
【発明の効果】
【００１８】
本発明によれば、ＩＣカードの有効期限が切れる前に送られてくる再発行されたＩＣカードに、有効期限の切れた旧のＩＣカードに記録されている振込情報を簡単な操作で移行することができる。
【発明を実施するための最良の形態】
【００１９】
以下、本発明の実施の形態について図面を参照して説明する。図１は、実施の形態の自動取引装置１のブロック図である。この自動取引装置は、例えば、銀行等で使用される現金自動預払機である。
【００２０】
自動取引装置１は、ＩＣカードに記録されているデータを読み取る読み取り部２と、再発行情報取得部３と、第１の設定部４と、移行情報取得部５と、第２の設定部６と、表示部７と、振込情報取得部８と、ＩＣカードへのデータの書き込みを行う書き込み部９を有する。再発行情報取得部３、移行情報取得部５、第１の設定部４及び第２の設定部６等は、現金の預払処理等を行うアプリケーションプログラムのプログラムモジュールとして実現される。
【００２１】
実施の形態のＩＣカード１１（図２参照）には、再発行されたカードか否かを示す再発行フラグ（再発行情報に対応する）と、振込情報が移行済みか否かを示す移行済フラグ（移行済情報に対応する）が記録されている。
【００２２】
自動取引装置１の有効期限取得部１０は、読み取り部２が読み取ったＩＣカード１１のカード情報に含まれる有効期限を取得する。有効期限が切れているか否かの判定を行い、有効期限の切れた旧のＩＣカードのときには、再発行されたＩＣカードを挿入させるための画面を表示する。
【００２３】
再発行情報取得部３は、読み取り部２が読み取ったＩＣカード１１のカード情報に含まれる再発行フラグを取得する。第１の設定部４は、再発行フラグがオンか、オフかを判定し、再発行フラグがオンのときには、振込情報の移行を行う画面を表示させるか否かを決める「ＩＣ振込情報移行」キー表示フラグ（移行キー表示情報に対応する）をオン（有効）に設定する。これは、ＩＣカード１１が再発行されたカードで旧のＩＣカードが存在する場合には、旧のＩＣカードに登録されている振込情報を再発行したカードに移行する可能性が高いからである。
【００２４】
移行情報取得部５は、カード情報に含まれる移行済フラグを取得する。第２の設定部６は、移行済フラグがオンか、オフかを判定し、移行済フラグがオンで、振込情報が移行済のときには、ＩＣ振込情報移行キー表示フラグをオフに設定する。移行済フラグがオフのときには、第１の設定部４により設定された、ＩＣ振込情報移行キー表示フラグの状態を保持する。
【００２５】
表示部７は、ＩＣ振込情報移行キー表示フラグがオンか、オフかを判定し、ＩＣ振込情報移行キー表示フラグがオンのときには、旧のＩＣカードの振込情報の移行を行うための画面（例えば、振込情報移行確認画面と移行先登録選択画面）を表示する。
【００２６】
振込情報取得部８は、移行確認画面において、振込情報の移行を指示する振込情報移行キーが選択されると、旧のＩＣカードに登録されている振込情報を取得する。
表示部７は、上記の振込情報移行キーが操作されると、表示画面を振込先登録選択画面に切り替え、旧のＩＣカードから読み取った複数の振込先をその画面に選択可能に表示せせる。この画面において、特定の振込先が選択され、確定キーが操作されると、書き込み部９は、選択された振込先を再発行されたＩＣカード１１に書き込み、同時にデータの書き込み先のＩＣカード１１の移行済フラグをオンに書き換える。
【００２７】
このようにＩＣカード１１に再発行フラグと移行済フラグを記憶しておき、それらのフラグの状態を判定してＩＣ振込情報移行キー表示フラグをオンまたはオフに設定することで、振込情報の移行を行う可能性のある顧客に対してのみ、振込情報の移行を行うための画面（振込情報移行キーを表示する画面と振込先登録選択画面）を表示することができる。そして、旧のＩＣカードに記録されている複数の振込先の選択画面を表示させ、顧客がその中から任意の振込先を選択することで、再発行されたＩＣカード１１に旧のＩＣカードの振込情報を簡単に移行することができる。
【００２８】
ここで、実施の形態のＩＣカード１１の構成と、データ構造について、図２を参照して説明する。
ＩＣカード１１には、ＣＰＵと、ＯＳ等を記録するＲＯＭと、ＲＡＭと、プログラム及びデータより構成されるＩＣアプリケーションを搭載するＥＥＰＲＯＭを有する処理装置１３が内蔵されている。また、ＩＣカード１１には、磁気ストライプ１２が設けられている。
【００２９】
磁気ストライプ１２には、銀行が発行する磁気カードと同一フォーマットの磁気ストライプデータ１２ａが記録されている。磁気ストライプ１２には、銀行名、口座番号の他に、カードの再発行を行ったか否かを示す情報が記録されている場合もある。
【００３０】
処理装置１３のＲＯＭには、ＯＳ、キャッシュカード用アプリケーションプログラム（ＡＰ）等が格納され、ＲＡＭには、データ、ＩＣキャッシュカード情報１４、ＩＣ振込情報１５が記憶されている。
【００３１】
ＩＣキャッシュカード情報１４は、図２に示すように、磁気ストライプデータ、ＰＡＮ（プライマリ・アカウント・ナンバー）、ＰＡＮシーケンス番号、有効期限、カード認証用データ等からなる。ＰＡＮシーケンス番号として、銀行等の仕様によって、ＩＣカード１１のバージョン番号が記憶されている場合もある。
【００３２】
ＩＣ振込情報１５は、再発行情報１６、複数の受取人情報１７、依頼人情報１８からなる。
再発行情報１６は、ＩＣカード１１の再発行を行ったか否かを示す再発行フラグ１６ａと、ＩＣ振込情報１５が移行済みか否かを示す移行済フラグ１６ｂとからなる。再発行フラグ１６ａには、ＩＣカードが再発行されたカードのとき、例えば「１」が設定され、再発行カードでないとき「０」が設定される。また、移行済フラグ１６ｂは、初期状態では振込情報の移行が行われていないことを示すデータ、例えば「０」が設定されており、ＩＣ振込情報１５の移行が終了すると「１」が設定される。
【００３３】
受取人情報１７は、振込先金融機関コード、振込先金融機関名、振込先支店コード、振込先支店名、振込先科目、振込先口座番号、受取人名等からなる。依頼人情報１８は、依頼人名、依頼人電話番号等からなる。
【００３４】
次に、旧のＩＣカードに記録されているＩＣ振込情報１５を、再発行されたＩＣカード
１１に移行する場合の処理について、図３〜図５のフローチャートを参照して説明する。
最初に、図６及び図７を参照して、自動取引装置（ＡＴＭ）の外観と内部構成を説明する。
【００３５】
図６及び図７に示すように、自動取引装置２１は、前面のカード挿入口２２を有するＣＩＰ（Card Reader Printer）ユニット３１と、通帳挿入／排出口２３を有する通帳ユニット３２と、紙幣挿入／放出口２４と硬貨挿入／放出口２５とを有する紙幣／硬貨計数ユニット３３と、係員操作部３４と、制御部３５と、操作及び表示のための顧客操作パネル２６と、静脈センサ２７とを有する。
【００３６】
ＣＩＰユニット３１は、ＩＣカード１１の磁気ストライプ及びＩＣのリード／ライトを行うＩＣカードリーダ／ライタ３６と、レシートに取引記録を行うレシートプリンタ３７と、ジャーナル用紙に取引記録の印刷を行うジャーナルプリンタ３８とを有する。
【００３７】
通帳ユニット３２は、通帳の頁に取引記録を行い、且つ必要に応じて頁捲りを行う。係員操作部３４は、係員の操作のため、状態表示や、障害発生時や点検時等に操作を行う。紙幣／硬貨計数ユニット３３は、挿入された紙幣／硬貨の鑑別、計数、収納と、要求された紙幣／硬貨の計数及び放出を行う。
【００３８】
制御部３５は、ホスト３９と交信して、自動取引装置２１の動作制御を行うＡＴＭアプリケーション４０と、認証のための認証ライブラリ４１を有する。
次に、自動取引装置２１の処理動作を、図３〜図５のフローチャートを参照して説明する。以下の処理は、自動取引装置の制御部３５により実行される。
【００３９】
顧客待ち画面を表示した状態で（図３、Ｓ１１）、顧客により振込キーが選択されると、カードの挿入画面が表示される（Ｓ１２）。ＩＣカード１１が挿入されると、ＩＣカード１１の磁気ストライプデータ（ＭＳ）１２ａとＩＣキャッシュカード情報１４を読み取り、ＩＣキャッシュカード情報１４内の有効期限が切れているか否かの判定を行い、有効期限の切れた旧のＩＣカードのときには、再発行されたカードを挿入するための画面を表示させて、カードの挿入を要求する（Ｓ１３）。
【００４０】
磁気ストライプデータ１２ａにＩＣカード１１の再発行情報が記録されているか否かを判別する（Ｓ１４）。自動取引装置のユーザ（銀行）の仕様により、磁気ストライプデータ１２ａにカードの再発行情報が記録されている場合があるので、ステップＳ１４において、再発行情報の有無を判別している。
【００４１】
再発行情報が記録されている場合には（Ｓ１４、ＹＥＳ）、ステップＳ１５に進み、ＩＣ振込情報移行キー表示フラグをオンにする。ＩＣ振込情報移行キー表示フラグは、振込情報の移行を行う登録画面を表示させるか否かを決めるフラグである。このＩＣ振込情報移行キー表示フラグは、自動取引装置の内部のメモリ等に記憶される。
【００４２】
次に、ＩＣカード１１からＩＣ振込情報１５を読み取り（Ｓ１６）、ＩＣ振込情報１５がＩＣカード１１に搭載されているか否かを判別する（Ｓ１７）。
ＩＣカード１１にＩＣ振込情報１５が搭載されているときには（Ｓ１７、ＹＥＳ）、ステップＳ１９に進み、ＩＣ振込情報移行キー表示フラグをオンにする。
【００４３】
ＩＣ振込情報１５が搭載されていないときには（Ｓ１７、ＮＯ）、ステップＳ１８に進み、ＩＣ振込情報移行キー表示フラグをオフにする。
上記のステップＳ１６〜Ｓ１９の処理は、ＩＣカード１１にＩＣ振込情報１５を記憶する記憶領域が存在するか否かを判定し、そのような記憶領域が存在しない場合には、振込
情報の移行を行う必要がないので、ＩＣ振込情報移行キー表示フラグをオフにする処理である。
【００４４】
次に、ＩＣ振込情報１５内に再発行フラグ１６ａがあるか否かを判別する（Ｓ２０）。再発行フラグ１６ａが有る場合には（Ｓ２０、ＹＥＳ）、ステップＳ２１に進み、再発行フラグ１６ａがオンか、オフかを判別する。
【００４５】
再発行フラグ１６ａがオンのときには（Ｓ２１、ＯＮ）、ステップＳ２２に進み、ＩＣ振込情報移行キー表示フラグをオンにする。他方、再発行フラグ１６ａがオフのときには（Ｓ２１、ＯＦＦ）、ステップＳ２３に進み、ＩＣ振込情報移行キー表示フラグをオフにする。
【００４６】
上記の処理により、ＩＣカード１１に記憶されている再発行フラグ１６ａがオンで、挿入されたＩＣカードが再発行されたカードであるときには、ＩＣ振込情報移行キー表示フラグをオンにして、振込情報を移行するための画面を表示させることができる。また、再発行フラグ１６がオフで、挿入されたＩＣカードが再発行されたカードでないときには、振込情報を移行する必要がないので、ＩＣ振込情報移行キー表示フラグをオフにして振込情報を移行するための画面を表示しないようにする。
【００４７】
次に、ＩＣ振込情報１５内に移行済フラグ１６ｂが有るか否かを判別する（Ｓ２４）。移行済フラグ１６ｂが有る場合には（Ｓ２４、ＹＥＳ）、ステップＳ２５に進み、ＩＣ振込情報の移行済フラグ１６ｂがオンか、オフかを判別する。初期状態では、再発行されたＩＣカード１１の移行済フラグ１６ｂはオフに設定されており、振込情報を再発行されたＩＣカード１１に移行させたときに、移行済フラグ１６ｂがオンに書き換えられる。
【００４８】
ＩＣ振込情報１５の移行済フラグ１６ｂがオンのときには（Ｓ２５、ＹＥＳ）、ステップＳ２６に進み、ＩＣ振込情報移行キー表示フラグをオフにする。
ステップＳ２４がＮＯのとき、ステップＳ２５またはＳ２６の次には、ステップＳ２７に進み、ＩＣ振込情報移行キー表示フラグがオンかオフかを判別する。ＩＣ振込情報移行キー表示フラグがオフのときには（Ｓ２７、ＯＦＦ）、振込情報の移行処理等を含まない従来の振込処理を実行する。
【００４９】
ＩＣ振込情報移行キー表示フラグがオンのときには（Ｓ２７、ＯＮ）、ステップＳ２８、Ｓ２９またはＳ３０の処理を実行する。なお、ステップＳ２８〜Ｓ３０の処理は、これらの処理がプログラムに全て含まれるわけではなく、自動取引装置のユーザである銀行等の仕様により、ステップＳ２８〜Ｓ３０の内の１つの処理が選択されてプログラムに含まれる。
【００５０】
ステップＳ２８の処理は、振込方法選択画面として、「振込カード」、「都度入力」、「ＩＣ振込情報」、「ＩＣ振込情報移行」の４つのキーを選択キーとして表示させる。顧客が紙製の振込カードを利用して振り込みを行う場合には、「振込カード」キーを選択する。振込先を顧客が個別に入力する場合には、「都度入力」キーを選択する。ＩＣカード１１に登録されている振込情報を利用する場合には、「ＩＣ振込情報」キーを選択する。旧のＩＣカードから新のＩＣカード１１にＩＣ振込情報を複写する場合には、「ＩＣ振込情報移行」キーを選択する。
【００５１】
ステップＳ２９の処理は、ＩＣ振込情報移行確認画面を表示させるための処理であり、「ＩＣ振込情報移行」、「移行しない」、「次回以降」の３つのキーを表示する。
旧カードから新カードへＩＣ振込情報を複写する場合には、「ＩＣ振込情報移行」キーを選択する。旧カードの振込情報の移行を行わない場合には、「移行しない」キーを選択
する。次回以降の取引で振込情報の移行を行う場合には、「次回以降」キーを選択する。
【００５２】
ステップＳ３０の処理は、振込取引終了画面を表示させるための処理であり、「移行する」、「移行しない」、「次回以降」の３つのキーを表示する。
図３の選択画面において、移行キーが選択されると、図４のフローチャート（２）に進む。図４のステップＳ３１において、新カード返却画面を表示する。この処理は、自動取引装置のハードウェア構造により装置内に２枚のＩＣカードを同時に保持しておくことができない場合の処理であり、２枚のＩＣカードを自動取引装置１内に保持できる場合には、ステップＳ３１の処理は不要となる。
【００５３】
次に、旧カードの挿入画面を表示する（Ｓ３２）。ＩＣカードが挿入されたことを検出したなら、挿入されたＩＣカードの磁気ストライプ（ＭＳ）１２に記録されている情報の読み取りを行い、情報を正常に読み取れたか否かを判別する（Ｓ３３）。
【００５４】
磁気ストライプ１２の情報を正常に読み取れない場合には（Ｓ３３、ＮＯ）、ステップＳ３４に進み、磁気ストライプ１２が破壊されているか否か、つまり磁気ストライプ１２から磁気が検出され、かつ読み取りエラーが発生したか否かを判別する。磁気ストライプ１２から磁気が検出されないときには、対象外のカードと判断してＩＣカードを返却する（Ｓ３４’）。磁気ストライプ１２から磁気が検出され、かつ読み取りエラーが発生しているときには（Ｓ３４、ＹＥＳ）、ステップ４１に進む。
【００５５】
磁気ストライプ１２のデータを正常に読み取れた場合には（Ｓ３３、ＹＥＳ）、ステップＳ３５に進み、磁気ストライプ１２のデータ内容により、挿入されたカードがＩＣカードか否かを判別する。ＩＣカードでないと判定されたときには（Ｓ３５、ＮＯ）、ステップＳ４０に進み、カードを返却する。また、磁気ストライプ１２から読み取った情報から口座番号を抽出し、先に挿入された新カードの口座番号と比較して、口座番号が一致するか否かを判定し、一致していれば、新カードと同じ利用者のカードであると判定できる。
【００５６】
ＩＣカードと判定されたときには（Ｓ３５、ＹＥＳ）、ステップＳ３６に進み、ＩＣカードに記録されているキャッシュカード情報を読み取る。
次のステップＳ３７で、ＩＣカードから読み取ったキュッシュカード情報から有効期限を抽出し、この有効期限からカードの有効期限が切れているか否かを判定する。ＩＣカードが有効期限切れでない場合には（Ｓ３７、ＮＯ）、旧カードではないと判断し、ステップＳ４０に進み、ＩＣカードを返却する。挿入されたＩＣカードが有効期限切れのときには、旧のＩＣカードが挿入されたものと判断する。この実施の形態では、ＩＣカードの有効期限を過ぎているか否かにより、挿入されたＩＣカードが旧のＩＣカードか否かを判定している。また、新カードは通常旧カードの有効期限切れになる前に郵送されてくるために、旧カードの有効期限が切れるまでは、有効なカードが２枚存在し、両方利用できる状態になる。このような場合においても、有効期限が所定の期限以内、例えば、２ヶ月以内に切れるのであれば、旧カードとして判断することができる。なお、有効期限切れのＩＣカードの再発行を行う機能を有する場合には、カードの再発行を行う。
【００５７】
ＩＣカードが有効期限切れのときには（Ｓ３７、ＹＥＳ）、次にステップＳ３８に進み、自行で発行したカードか否かを判別する。
挿入されたＩＣカードが自行で発行したカードでないときには（Ｓ３８、ＮＯ）、ステップＳ４０に進み、挿入されたカードを返却する。
【００５８】
挿入された旧のＩＣカードが自行のカードであったときには（Ｓ３８、ＹＥＳ）、ステップＳ３９に進み、旧のＩＣカードから読み取った口座番号が、それ以前に読み取った新のＩＣカード１１の口座番号と一致するか否かを判別する。口座番号が不一致のときには（Ｓ３９、ＮＯ）、上記のステップＳ４０に進む。
【００５９】
旧のＩＣカードと新のＩＣカード１１の口座番号が一致したときには（Ｓ３９、ＹＥＳ）、ステップＳ４１に進み、旧のＩＣカードに登録されているＩＣ振込情報の読み込み及び待避処理を実行する。この待避処理では、読み取ったＩＣ振込情報を自動取引装置のメモリに一時的に格納する。
【００６０】
次に、旧のＩＣカードにＩＣ振込情報が登録されているか否かを判別する（Ｓ４２）。ＩＣ振込情報が登録されていないときには（Ｓ４２、ＮＯ）、ステップＳ４３に進み、旧のＩＣカードを返却する。
【００６１】
旧のＩＣカードにＩＣ振込情報が登録されているときには（Ｓ４２、ＹＥＳ）、ステップＳ４４に進み、旧カード返却画面を表示してカードを返却する。そして、顧客が旧のＩＣカードを受け取ったなら、新カード挿入画面を表示する（Ｓ４５）。
【００６２】
新カード挿入画面を表示した状態で、新のＩＣカード１１が挿入されると、そのカードがＩＣカードか否かの判定を行う（Ｓ４６）。挿入されたカードがＩＣカードであったときには（Ｓ４６、ＹＥＳ）、ステップＳ４７に進み、新のＩＣカード１１に記録されているＩＣキャッシュカード情報１４を読み取る。次のステップＳ４８で、現在の日時が、読み取ったＩＣキャッシュカード情報１４の有効期限内か否かを判別する。有効期限外のときには、ステップＳ５１に進み、カードを返却する。
【００６３】
有効期限内であったときには（Ｓ４８、ＹＥＳ）、ステップＳ４９に進み、自行で発行したカードか否かを判別する。
挿入されたＩＣカードが自行で発行したカードでないときには（Ｓ４９、ＮＯ）、ステップＳ５１に進み、カードを返却する。
【００６４】
挿入された新のＩＣカードが自行のカードであったときには（Ｓ４９、ＹＥＳ）、ステップＳ５０に進み、口座番号が、最初に挿入した新のＩＣカードの口座番号と一致するか否かを判別する。口座番号が不一致のときには（Ｓ５０、ＮＯ）、ステップＳ５１に進み、カードを返却する。
【００６５】
他方、口座番号が一致したときには（Ｓ５０、ＹＥＳ）、ステップＳ５２に進み、暗証番号の入力を要求する。このステップＳ５２の処理は、銀行のシステムがＩＣ振込情報の移行時に暗証番号の入力を必要とするシステムの場合の処理であり、暗証番号の入力を要求しないシステムでは不要である。
【００６６】
図５は、ＩＣ振込情報移行処理のフローチャート（３）である。図４のステップＳ５２において、暗証番号の入力が終了すると、図５のステップＳ５３の処理が実行される。この処理では、新のＩＣカード１１の振込情報を読み込む。次のステップＳ５４で、振込先登録選択画面を表示する。このステップＳ５４の処理では、旧のＩＣカードに登録されていた振込先データと、新のＩＣカード１１に登録されている振込先データを選択番号を付与して全件表示すると共に「選択」キーを表示する。
【００６７】
振込先選択画面において、顧客が移行する振込先データの番号を選択した後、「選択」キーを操作したことを検出すると、次のステップＳ５５の処理で、振込先登録確認画面が表示される。この振込先登録確認画面には、顧客が選択した振込先データと、選択をやり直すための「戻る」キーと、選択結果を確定するための「確認」キーが表示される。
【００６８】
上記の振込先登録確認画面において、顧客により「確認」キーが操作されたことを検出
すると、ステップＳ５６に進み、依頼人登録選択画面を表示する。このステップＳ５６の処理では、旧のＩＣカードに登録されている各振込先データの依頼人データを連番を付けて表示する。
【００６９】
上記の依頼人登録画面において、顧客が特定の依頼人を選択した後、「選択」キーが操作されたことを検出すると、次のステップＳ５７で、依頼人登録確認画面を表示する。この依頼人登録確認画面には、選択された依頼人名と、「戻る」キーと、「確認」キーが表示される。
【００７０】
上記の依頼人登録確認画面において、「確認」キーが操作されたことを検出すると、ステップＳ５８に進み、ホスト送受信処理を実行する。この処理は、本人確認のための情報（暗証番号など）をホスト装置に送信し、確認結果の情報を受信する処理である。なお、本人確認のための暗証番号等のチェックが不要なシステムでは、このホスト送受信処理は不要となる。
【００７１】
次のステップＳ５９でＩＣ書き込み中画面を表示する。このステップＳ５９の処理では、選択された旧のＩＣカードの振込情報を新のＩＣカード１１に書き込み、データの書き込みが完了したとき、移行済フラグ１６ｂをオンに書き換える。
【００７２】
次のステップＳ６０で、新カード返却画面を表示し、振込情報の移行が終了したＩＣカード１１を返却する。顧客がＩＣカード１１を受け取ると、取引が終了する。
上記の実施の形態は、ＩＣカード１１に再発行フラグと移行済フラグを記憶しておき、それらのフラグの状態を判定してＩＣ振込情報移行キー表示フラグをオンまたはオフに設定することで、振込情報の移行を行う可能性のある顧客に対してのみ、振込情報の移行を行う画面（例えば、振込情報移行キーを表示する振込情報移行確認画面と振込先登録選択画面）を表示することが可能となる。
【００７３】
これにより、ＩＣカード１１を自動取引装置１の挿入口に挿入したとき、そのＩＣカードが再発行されたカードで、かつ振込情報の移行が未完了のときのみ、振込情報を移行するための画面が表示される。顧客は、表示された画面で振込情報移行キーを操作した後、振込先登録選択画面において、任意の振込先を選択する操作を行うことで、所望の振込情報を再発行されたＩＣカードに移行することができる。顧客は、旧のＩＣカードに登録した振込先データを、簡単な操作で再発行されたＩＣカード１１に引き継ぐことができる。登録した振込先データの引き継ぎが簡単になることで、紙製の振込券の替わりにＩＣカードの利用を促進することができる。
【００７４】
また、挿入したＩＣカードが再発行されたカードでないとき、あるいは振込情報が移行済のときには、振込情報を移行するための画面は表示されないので、不要な操作画面が表示される煩わしさを解消できる。
【００７５】
さらに、振込先登録選択画面に、旧のＩＣカードに登録された振込先データと再発行されたＩＣカードに登録されている振込先データが両方とも表示されるので、顧客は再発行されたＩＣカード１１に登録済みの振込先データを確認しながら、移行する振込先データを選択することができる。
【００７６】
上述した実施の形態は、ＩＣカード１１に再発行フラグ１６ａと移行済フラグ１６ｂを記録する例について説明したが、フラグ以外のデータ形式で記録しても良い。
また、ＩＣ振込情報移行キー表示フラグがオンのときに表示する画面は、実施の形態に述べたような、ＩＣ振込情報移行確認画面、振込情報登録選択画面等に限らず、振込情報の移行を行える画面であればどのような表示形式の画面であっても良い。
【図面の簡単な説明】
【００７７】
【図１】実施の形態の自動取引装置のブロック図である。
【図２】実施の形態のＩＣカードのデータ構造を示す図である。
【図３】実施の形態のＩＣ振込情報移行処理のフローチャート（１）
【図４】実施の形態のＩＣ振込情報移行処理のフローチャート（２）
【図５】実施の形態のＩＣ振込情報移行処理のフローチャート（３）
【図６】自動取引装置の外観図である。
【図７】自動取引装置の構成を示す図である。
【符号の説明】
【００７８】
１１        ＩＣカード
１２        磁気ストライプ
１２ａ      磁気ストライプデータ
１４        ＩＣキャッシュカード情報
１５        ＩＣ振込情報
１６        再発行情報
１６ａ      再発行フラグ
１６ｂ      移行済フラグ
【図１】
0005022138.tif 000002
【図２】
0005022138.tif 000003
【図３】
0005022138.tif 000004
【図４】
0005022138.tif 000005
【図５】
0005022138.tif 000006
【図６】
0005022138.tif 000007
【図７】
0005022138.tif 000008